(57)【要約】【課題】物品棚としての利用形態に選択の自由度を持たせると共に、棚装置がセットされている部屋全体との調和を図ることができる物品棚装置を提供すること。【解決手段】左右に前後一対の側部材２２，２２を設け、これら側部材２２，２２の上下同士を上ビーム材５，５、上フレーム部材１６，１６、下ビーム材６，６及び下フレーム部材１７，１７で接続して外枠を形成し、上下方向に棚板４，４を複数架設した物品棚装置１であって、前記側部材２２の外端部側には上下方向に延在する溝条２６，２６が設けられ、棚板４，４の内の上下に対向する棚板４，４間の前後面のいずれか又は、最上段の棚板４と前記上部材５，５間の前後面のいずれか又は、最下段の棚板４と前記下部材６，６間の前後面のいずれか、の内の任意の箇所を閉塞する閉塞板１０，１１の左右側部が溝条２６，２６に嵌合して取り付けられている。【選択図】図２
2007135954.tif 000002
【特許請求の範囲】
【請求項１】
左右に前後一対の側部材を設け、これら側部材の上下同士を上部材と下部材で接続して外枠を形成し、前記左右の一対の側部材間に棚板を上下方向に複数架設した物品棚装置であって、前記側部材には、左右の前方の側部材同士、及び左右の後方の側部材同士がそれぞれ対向する方向に向かい合う上下方向に延在する溝条が設けられ、前記棚板の内の上下に対向する棚板間の前後面のいずれか、または最上段の棚板と前記上部材間の前後面のいずれか、または最下段の棚板と前記下部材間の前後面のいずれか、の内の任意の箇所を閉塞する閉塞板の左右側部が前記左右側部材の溝条に嵌合して取り付けられていることを特徴とする物品棚装置。
【請求項２】
前記閉塞板の左右側部は、ネジにより両側部材に取り付けられている請求項１に記載の物品棚装置。
【請求項３】
前記閉塞板の少なくとも左右側部をパネル保持金具により構成した請求項１または２に記載の物品棚装置。
【請求項４】
前記溝条は、前方の側部材の前端面から内方に切り欠かれ、そして後方の側部材の後端面から内方に向かって切り欠かれた切り欠き溝で形成されている請求項１乃至３のいずれかに記載の物品棚装置。
【発明の詳細な説明】
【技術分野】
【０００１】
本発明は、左右に前後一対の側部材を設け、これら側部材の上下同士上部材と下部材で接続して外枠を形成し、前記左右の一対の側部材間に棚板を上下方向に複数架設した物品棚装置に関する。
【背景技術】
【０００２】
左右に前後一対の側部材を設け、これら側部材の上下同士上部材と下部材で接続して外枠を形成し、前記左右の一対の側部材間に棚板を上下方向に複数架設した従来の物品棚装置は、後方の側部材（支柱２）に嵌合凹部（７）を設け、この嵌合凹部にピン（１５）で相互に連結された複数の背面板（１３，１４）を嵌合し、取付金具（９）を介して背面板を側部材に対して着脱自在に取り付けている。また、棚の側面を塞ぐ側面板についても、背面板と同様に取り付けることができるように構成されている。（例えば、特許文献１参照）。
【０００３】
【特許文献１】特開２００１−１６１４６０号公報（段落００２０及び００２１、図２）
【発明の開示】
【発明が解決しようとする課題】
【０００４】
しかしながら、特許文献１における棚装置は、背板（又は側面板）が複数枚から構成されているものの、それらは相互にピンで連結されるものであって、棚装置の背面（又は側面）全体を閉鎖するものでり、棚装置の前面あるいは背面を棚毎に区切って選択的に閉塞板を取り付けたものではなく、棚装置の前後から棚部分によって収納される任意の収納部を閉塞することはできず、物品棚としての利用形態に選択の自由度がなかった。また棚装置がセットされている部屋全体との調和を図るために、部屋の雰囲気にあった色や材質の閉塞板を適宜選択して棚の収納部毎に閉塞板を取り付けることもできなかった。
【０００５】
本発明は、このような問題点に着目してなされたもので、物品棚としての利用形態に選択の自由度を持たせると共に、棚装置がセットされている部屋全体との調和を図ることができる物品棚装置を提供することを目的とする。
【課題を解決するための手段】
【０００６】
上記課題を解決するために、本発明の請求項１に記載の物品棚装置は、左右に前後一対の側部材を設け、これら側部材の上下同士を上部材と下部材で接続して外枠を形成し、前記左右の一対の側部材間に棚板を上下方向に複数架設した物品棚装置であって、前記側部材には、左右の前方の側部材同士、及び左右の後方の側部材同士がそれぞれ対向する方向に向かい合う上下方向に延在する溝条が設けられ、前記棚板の内の上下に対向する棚板間の前後面のいずれか、または最上段の棚板と前記上部材間の前後面のいずれか、または最下段の棚板と前記下部材間の前後面のいずれか、の内の任意の箇所を閉塞する閉塞板の左右側部が前記左右側部材の溝条に嵌合して取り付けられていることを特徴としている。
この特徴によれば、外枠が左右に配置した一対の側部材と上下部材だけで構成してあるので、堅牢且つ軽量で開放感があり、しかも物品棚装置の前後から棚部分によって収納される任意の箇所を閉塞することができるので、物品棚としての利用形態に選択の自由度がある。また、部屋の雰囲気にあった色や材質の閉塞板を適宜選択して棚の収納部毎に閉塞板を取り付けて、物品棚装置がセットとされている部屋全体との調和を図ることができる。
【０００７】
本発明の請求項２に記載の物品棚装置は、請求項１に記載の物品棚装置であって、前記閉塞板の左右側部は、ネジにより両側部材に取り付けられていることを特徴としている。
この特徴によれば、閉塞板の左右側部がネジにより両側部材に取り付けられているので、取付が容易であり、かつ外枠をより強固に補強することができる。
【０００８】
本発明の請求項３に記載の物品棚装置は、請求項１または２に記載の物品棚装置であって、前記閉塞板の少なくとも左右側部をパネル保持金具により構成したことを特徴としている。
この特徴によれば、閉塞板の少なくとも左右側部がパネル保持金具により構成されているので、閉塞パネルとして、例えば薄手のアクリル板等であってもパネル保持金具により側部材に確実に取り付けることができる。
【０００９】
本発明の請求項４に記載の物品棚装置は、請求項１乃至３のいずれかに記載の物品棚装置であって、前記溝条は、前方の側部材の前端面から内方に切り欠かれ、そして後方の側部材の後端面から内方に向かって切り欠かれた切り欠き溝で形成されていることを特徴としている。
この特徴によれば、切り欠き溝が前方の側部材の前端面、そして後方の側部材の後端面と連続しているので、前方の側部材の前端面または後方の側部材の後端面と閉塞板の外面をほぼ面一になるように閉塞板を切り欠き溝に嵌合させることができる。
【発明を実施するための最良の形態】
【００１０】
本発明の実施例を以下に説明する。
【実施例】
【００１１】
図１（ａ）は、本発明の実施例における物品棚の全体像を示し、手前正面側から見た斜視図であり、図１（ｂ）は、物品棚の奥行き背面側から見た全体像を示す斜視図であり、図２は、物品棚を構成する各部材の分解組立斜視図であり、図３は、物品棚の側部を構成するフレーム枠材の分解組立斜視図であり、図４（ａ）は、背面閉塞板を示す正面図であり、図４（ｂ）は、図４（ａ）のＡ−Ａ線を示す断面図であり、（ｃ）は、図４（ａ）のＢ−Ｂ線を示す側断面図であり、図５（ａ）は、正面閉塞板を示す正面図であり、図５（ｂ）は、図５（ａ）のＣ−Ｃ線を示す断面図であり、図５（ｃ）は、図５（ａ）のＤ−Ｄ線を示す側断面図であり、図６（ａ）は、棚板を支持する棚受ブラケットを示す平面図であり、図６（ｂ）は、棚受ブラケットの側面図であり、図６（ｃ）は、図６（ｂ）のＥ−Ｅ線を示す断面図であり、図７（ａ）は、棚受ブラケットが係止される棚受スリット支柱２０の側面図であり、図７（ｂ）は、図７（ａ）のＦ−Ｆ線を示す断面図であり、図７（ｃ）は、図７（ａ）のＧ−Ｇ線を示す断面図であって、棚受ブラケットの取り付け過程が示されており、図８は、物品棚全体の側断面図であり、図９（ａ）は、図８のＨ−Ｈ線を示す断面図であって、背面閉塞板、正面閉塞板板、棚受スリット支柱、及び側面パネルをそれぞれ側フレーム支柱に取り付ける前の状態を示し、図９（ｂ）は、これら部材が側フレーム支柱に取り付けられた状態を示す断面図である。
【００１２】
この物品棚装置（以下、物品棚１）は、上下方向に複数階層にわたり物品を収納可能になっており、各階層毎に正面側または背面側から物品類を収納することでき、主に小規模なオフィス空間において利用されている。以下、本実施例の説明において、図１（ａ）に図示された物品棚１に対面した状態で見て、物品棚１の手前正面側を前方とし、奥行き背面側を後方とし、左手側を左方、右手側を右方として説明する。
【００１３】
図１（ａ）および図１（ｂ）に示されるように、物品棚１には、左右両側に上下方向に長い矩形のフレーム枠材１５，１５が設けられ、この枠内にプラスチックやガラス板等の透過性のある側面パネル３０が嵌め込まれている。両フレーム枠材１５，１５の上部と下部には、左右の長さ方向に延びる矩形の天板２と底板３が取り付けられ、中間部には上下に所定間隔離間された状態で最上段の棚板４および最下段の棚板４が取り付けられ、上下に３つの収納部Ｓ１，Ｓ２，Ｓ３が形成されている。両フレーム枠材１５，１５の下部には前後に高さ調整可能なアジャスタ１８が取り付けられ、前後左右で物品棚１を安定して支持することができる。
【００１４】
収納部Ｓ１，Ｓ３の背面側には矩形の金属薄板で構成した背面閉塞板１０が嵌め込まれており、収納部Ｓ１，Ｓ３の後方が閉塞され、前方は開口部１ａ，１ａが形成されて収納物の搬出入ができる。中間の収納部Ｓ２の前方側には、内側にプラスチック状の幕板パネル１３が取り付けられ、外周が矩形の金属枠で囲繞した正面閉塞板幕板１１が嵌め込まれており、収納部Ｓ２の前方が閉塞され、後方は開口部１ａが形成されて収納物の搬出入ができる。
【００１５】
図２に示されるように、フレーム枠材１５は、アルミの押出し成形からなる前後一対の側部材として構成された側フレーム支柱２２，２２と、両側フレーム支柱２２，２２の上下同士をそれぞれ接続固定した上部材としての上フレーム部材１６，下部材としての下フレーム部材１７，とで構成されている。そして左右に配設されたフレーム枠材１５は、上方において前後の上部材としての上ビーム部材５，５にて、下方において前後の下部材としての下ビーム部材６，６にて連結固定されることにより周囲が解放された物品棚１の外枠が構築される。
【００１６】
なお、上ビーム材５，５および下ビーム材６，６は、それぞれ上フレーム部材１６，１６、下フレーム部材１６，１６に形成したネジ貫通孔１６ｂ，１６ｂ、ネジ貫通孔１７ｂ，１７ｂに取付ネジ８，８を挿通させ上ビーム材５，５および下ビーム材６，６のネジ穴５ｂ，５ｂ、ネジ穴６ｂ，６ｂに螺合させることで上フレーム部材１６，１６、下フレーム部材１７，１７に締結される。
【００１７】
外枠の両フレーム枠材１５，１５間の上下部には木材やプラスチックおよび金属板等で形成された板状の天板２および底板３が、中間部には金属薄板で折り曲げ形成された棚板４，４が設けられている。そしてこれら棚板４，４は、側フレーム支柱２２，２２に取り付けた棚受ブラケット７，７により保持されている。そして、天板２は上フレーム部材１６，１６の天板受部１６ｃ，１６ｃと、上ビーム材５，５の天板受部５ｂ、５ｂに載置固定され、底板３は下ビーム材６，６の底板受部に載置固定される。
【００１８】
次いで、図３、図９に基づき、フレーム枠材１５の構成について、より具体的に説明する。この図３には右側のフレーム枠材１５が示されているが、左側のフレーム枠材１５については、左右対称構造のためその説明は割愛する。
【００１９】
図９に示すように、前後の側フレーム支柱２２，２２は前後対称に対向する方向に配置され、それぞれ前後の外方には上下方向に沿って延在する溝条２６，２６が設けられている。前方の側フレーム支柱２２の溝条２６は前端面から内方に向けて切り欠かれた切り欠き溝として形成され、後方の側フレーム支柱２２の溝条２６は後端面から内方に向けて切り欠かれた切り欠き溝として形成されている。その結果、前方の側フレーム支柱２２は前方に、後方の側フレーム支柱２２は後方に支柱本体から突出する連結片２５，２５が上下方向に延設する構造となる。また図３に示すように、この側フレーム支柱２２，２２の上下端部には上下方向に向けてネジ穴２２ａ，２２ａが形成されるとともに、このネジ穴２２ａ，２２ａよりもやや内側よりに上下方向に貫通する嵌合溝２３が形成されている。
【００２０】
この嵌合溝２３には、上下方向に複数の係合孔２０ａが左右方向に貫通して形成された棚受スリット支柱２０を上方または下方から嵌入することができ、上下のフレーム部材１６，１７によって移動が規制される。（図９も合わせて参照）。前後の側フレーム支柱２２，２２の対面側には、上下方向に向けて側面パネル保持溝２４，２４が形成され、これら溝に沿って側面パネル３０の前後側端部を嵌合して取り付けることができる。
【００２１】
上フレーム部材１６の前後端部には上下方向に貫通する上フレーム組立ネジ貫通孔１６ａ，１６ａが形成され、同様に下フレーム部材１７の前後端部にも、上下方向に貫通する下フレーム組立ネジ貫通孔１７ａ，１７ａが形成されている。そこで、下フレーム部材１７の前後端部に側フレーム支柱２２，２２をそれぞれ設置し、下方より側フレーム組立ネジ１９，１９を下フレーム組立ネジ貫通孔１７ａ，１７ａを介して、側フレーム支柱２２，２２の下部のネジ穴２２ａ，２２ａに螺合することで、下フレーム部材１７に側フレーム支柱２２，２２が締結固定される。
【００２２】
そして、前後の側フレーム支柱２２，２２に棚受スリット支柱２０，２０および側面パネル３０を取り付けた後、前後の側フレーム支柱２２，２２の上部に上フレーム部材１６の前後端部をそれぞれ設置し、上方より側フレーム組立ネジ１９，１９を上フレーム組立ネジ貫通孔１６ａ，１６ａを介して、側フレーム支柱２２，２２の上部のネジ穴２２ａ，２２ａに螺合することで、上フレーム部材１６に側フレーム支柱２２，２２が締結固定され、堅固なフレーム枠材１５が構成される。
【００２３】
また、下フレーム部材１７の前後端部の下端には、アジャスタ１８を取り付け可能なアジャスタ取付部１７ｄが設けられている。さらに、前後端部のよりもやや中央位置には、上下方向に向けて切欠くように、配線溝１７ｃが２箇所に離間して形成され、例えば、天板２および底板３と棚板４に載置された物品から延設された電源コード類を床面４０に向けて案内可能になっている。
【００２４】
次に、図４および図５により、背面閉塞板１０および正面閉塞板１１についてより具体的に説明する。
【００２５】
まず、図４（ａ）〜（ｃ）に示されるように、背面閉塞板１０は、スチール金属等の板金で成形され、この背面閉塞板１０の左右端部は上面視コ字状に折り曲げられており、このコ字状内の側端面には上下位置に所定間隔離間された状態でナット１０ａ，１０ａが溶接され固着されている。そして、ナット１０ａ，１０ａの外方にはネジ挿通孔１０ｂが、それぞれ左右方向に向けて形成されている。
【００２６】
次いで、図５（ａ）に示されるように、正面閉塞板１１は、矩形に成形された幕板パネル１３と、幕板パネル１３の四辺を保持するアルミやスチール金属で形成された４本のパネル保持金具１２と、これらパネル保持金具１２を各角部で連結するＬ字形板金の連結板１２ｃで構成されている。
【００２７】
このように、幕板パネル１３をパネル保持金具１２で保持することにより、幕板パネル１３として、例えば薄手のアクリル板等であってもパネル保持金具１３により、側フレーム支柱２２に確実に取り付けることができると同時に、薄手パネルの補強も兼ねることができる。また、幕板パネル１３としては、物品棚が配置されている部屋の雰囲気にあうように、所望の色とか透過性のパネル等、各種の素材のものを適宜選択して使用できる。
【００２８】
図５（ｂ）および図５（ｃ）に示されるように、正面閉塞板１１の保持金具１２の左右端部は上面視コ字状に折り曲げられており、このコ字状内の側端面には上下位置に所定間隔離間された状態でナット１２ａ，１２ａが溶接され固着されている。そして、ナット１２ａ，１２ａの孔から左右側端部に向けて連通するネジ挿通孔１２ｂが、それぞれ左右方向に向けて形成されている。
【００２９】
図６（ａ）〜（ｃ）に示されるように、棚受ブラケット７はスチール等の板金による折り曲げによって形成され、棚板４の左右側端部を係止する断面上向きコ字状の棚板支持部７ｂが設けられている。棚受ブラケット７の両側端には、棚板支持部７ｂの対向方向に向けて突設された上下方向に凸部を有する鈎部７ａが設けられている。棚板支持部７ｂの左右位置には、中央位置から等間隔離間された位置に上下方向に貫通するボルト貫通孔７ｃ，７ｃが形成されている。
【００３０】
図７（ａ）および図７（ｂ）に示されるように、棚受スリット支柱２０はスチール金属等の折り曲げによって、上下の長さ方向に延設され上面視コ字状に形成されており、両側部には嵌合片２０ｂ，２０ｂが成形され、両側部の連結された中央位置に上下の長さ方向に向けて矩形の係合孔２０ａが形成されている。そこで、図７（ｃ）に示されるように、棚受スリット支柱２０への棚受ブラケット７の取り付けについて説明すると、フレーム支柱２２の嵌合溝２３に嵌入した棚受スリット支柱２０の係合孔２０ａに向けて、物品棚１の内側から棚受ブラケット７の鈎部７ａを引っ掛けるように上方に向けて挿入していく。次過程において、棚受スリット支柱２０内に鈎部７ａを嵌入させ、棚板支持部７ｂを棚受スリット支柱２０に当接させ、この棚受スリット支柱２０に沿って、下方に向けて摺動させながら移動していく。
【００３１】
すると、係合孔２０ａの下部に鈎部７ａの下端が係止されるとともに、鈎部７ａの上端が係合孔２０ａの上部位置で係止され、棚受スリット支柱２０に棚受ブラケット７が位置固定され取り付けが完了となる。そこで、棚板支持部７ｂに棚板４のコ字状に折り曲げられ端部処理された左右側端部を載置することで、棚板４が物品棚１内に架設される。
【００３２】
そして、棚板４の左右側端部の下部内側には、ナット４ａが溶接され、固定ボルト３９を棚板支持部７ｂの下方よりボルト貫通孔７ｃを介して、ナット４ａに螺合することで、棚受ブラケット７に棚板４の左右側端部が連結固定され、棚受スリット支柱２０を介して棚板４が安定して側フレーム支柱２２に支持される。同様にして、他方の棚板４も棚受ブラケット７で支持させることで、棚板４，４に載置される物品類、例えば、重量のある物品であっても安定して支持可能な構造となっている。
【００３３】
図８および図９（ａ）に示されるように、物品棚１内に２つのの棚板４,４が取り付けられたことで、上下方向に３つの収納部Ｓ１，Ｓ２，Ｓ３が形成される。前後の側フレーム支柱２２，２２に設けられた溝条２６，２６は、前方の側フレーム支柱２２の前端面から内方に切り欠かれ、そして後方の側フレーム支柱２２の後端面から内方に向かって切り欠かれた切り欠き溝で形成されている。
【００３４】
そこで、上段と下段の収納部Ｓ１，Ｓ３の後方側から、後方の側フレーム支柱２２の溝条２６に向けて、それぞれ２枚の背面閉塞板１０を前方向へと移動させ、この溝条２６内に嵌め込み、連結片２５に形成された幕板取付ネジ貫通孔２５ａと、背面閉塞板１０の側部に形成されたネジ挿通孔１０ｂを左右方向に貫通するように重ね合わせた状態で、外方より幕板取付ネジ１４を幕板取付ネジ貫通孔２５に挿通させ、ナット１０ａに螺合して背面閉塞板１０を取り付ける。同様にして、中段の収納部Ｓ２の前面側は、正面閉塞板１１により前方の側フレーム支柱２２間に取り付けることができる。
【００３５】
図９（ｂ）に示されるように、取り付け完了状態においては、前方の側フレーム支柱２２の前端面、そして後方の側フレーム支柱２２の後端面がそれぞれ溝条２６，２６と連続しているので、前方の側フレーム支柱２２の前端面または後方の側フレーム支柱２２の後端面と、正面閉塞板１１および背面閉塞板１０の外面をほぼ面一になるように、正面閉塞板１１および背面閉塞板１０を溝条２６，２６に嵌合させることができる。これにより、外方に向けてＡ幕板１０およびＢ幕板１１の外面が突設されず、利用者の服や手等に引っ掛かりを生じさせることなく、安全性が高められているとともに、物品棚１の外方からの見栄えも良い。
【００３６】
背面閉塞板１０および正面閉塞板１１の左右側部が幕板取付ネジ１４により、両側フレーム支柱２２，２２に取り付けられているので、取付が容易であり、且つこれら背面閉塞板１０および正面閉塞板１１によって、物品棚１の外枠をより強固に補強することができる。
【００３７】
そして図８に示されるように、上下段の収納部Ｓ１，Ｓ３においては、前方側から物品類を収納可能な開口部１ａが前端側に形成され、中段の収納部Ｓ２においては、後方側から物品類を収納可能な開口部１ａが後端側に形成される。このように、正面閉塞板１１により前方が閉塞される収納部Ｓ２、および背面閉塞板１０により後方が閉塞される収納部Ｓ１，Ｓ３によって、例えば物品棚１を境にして前方側および後方側に、それぞれ配置された机で作業する利用者の物品収納スペースが適宜区分けされて提供されるので、それぞれ自身の利用する資料等を近傍の開口部１ａから収納でき利便性が良い。
【００３８】
したがって、従来公知の前方または後方の一方が開口された棚の背面を向かい合わせて足り、背面側を壁面に押しつけたりする限定的な利用法が回避でき、１つの物品棚１で前方側および後方側の利用者が同時に使用でき、且つ従来のように前面側或いは背面側のどちらか一方側の開口を全部塞いで使用することも当然可能であり、特に小規模な仕事場で作業するオフィス等において利用形態の選択に自由度があり、室内をより有効に活用することができる。しかも棚の収納部毎に各種素材の閉塞板が使用可能であるので、物品棚がセットとされている部屋全体との調和を図ることができる。
【００３９】
次に、本発明の実施例の変形例について説明する。図１０（ａ）は、本発明の変形例１における物品棚の全体像を示した斜視図であり、（ｂ）は、本発明の変形例２における物品棚の全体像を示した斜視図である。尚、以下の変形例１，２において前述の実施例と同様の構造部分に関しては、同一の符号を付すことにより詳細な説明は省略することにする。
【００４０】
図１０（ａ）に示された変形例１は、物品棚５０の収納部Ｓ１，Ｓ２，Ｓ３の前方には、全面を閉塞するように閉塞板５２がそれぞれ取り付けられており、後方側に開口部１ａが形成されている。このように、閉塞板５２を前方の全域に取り付けることにより、一方側が解放された公知の物品棚としても利用することができる。この閉塞板５２には、先に述べた実施例の背面閉塞板１０や正面閉塞板板１１のいずれを利用しても良いし、両方用いてもよい。他にも部屋の雰囲気にあった色や、材質のパネルを適宜選択でき、かつ取り替え可能になっており、透過性・半透過性のパネルの利用もできて、デザイン的にも優れた物品棚５０となる。同様に、棚板４，４や天板２および底板３の色や材質も適宜変更することができることは言うまでもなく、実施例において前述した構成により閉塞板の取付位置変更のための着脱および交換も容易に行える。
【００４１】
図１０（ｂ）に示された変形例２は、物品棚５１の収納部Ｓ１，Ｓ２の後方には、２つの閉塞板５２が取り付けられ、収納部Ｓ３の前方には閉塞板５２が取り付けられており、これら閉塞板５２の対面側に開口部１ａがそれぞれ形成されている。このように、閉塞板５２の取り付け位置を適宜変更し、任意の箇所を閉塞するように取り付けることで、オフィス等の室内の利用形態に合わせて物品の収納方向を容易に変更することができ、多様な利用形態を構築することができる。
【００４２】
このように、本実施例では、物品棚１の外枠が、左右に配置した一対の側フレーム支柱２２，２２と、これら側フレーム支柱の上下同士を接続した上ビーム部材４，４、上フレーム部材１６，１６および下ビーム部材６，６、下レーム部材１７，１７だけで構成されているので、堅牢且つ軽量で開放感があり、しかも物品棚１の前後から閉塞板１０，１１によって収納される任意の箇所を閉塞することができるので、物品棚１としての利用形態に選択の自由度がある。また、部屋の雰囲気にあった色や材質の閉塞板を適宜選択して棚の収納部Ｓ１，Ｓ２，Ｓ３毎に閉塞板を取り付け、物品棚１がセットとされている部屋全体との調和を図ることができる。
【００４３】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、閉塞板１０，１１は幕板取付ネジ１４によって、左右の側フレーム支柱２２，２２の溝条２６，２６に嵌合したのち、連結片２５，２５に螺合されることで連結強度が強固に補強されることから好ましいが、本発明はこれに限定されるものではなく、左右の側フレーム支柱２２，２２の溝条２６，２６に安易に取り外れないように取り付けられれば、爪と係合孔による係止手段等どのような手段でも良い。
【００４４】
また、上記実施例では、物品棚１に天板２および底板３が設けられているが、本発明はこれに限定されるものではなく、これら物品棚１には、棚板４，４のみの構成であってもよく、更に発明においては、新たな棚板を用いて物品棚に複数段の収納部を設けるようにしても良い。そして閉塞板１０，１１は必ず収納棚の前後一方に用いなければならないのもではなく、収納棚の前後に閉塞板のない空間部で構成することも可能である。
【００４５】
また、上記実施例では、フレーム枠材１５内に側面パネル３０が取り付けられているが、側面パネル３０は付属的な者で設けなくても良い。さらに溝条２６の形状を、前方側或いは後方側が解放された切り欠き溝とした、閉塞板１０，１１が保持できる構造であればどの様な形状であっても良い。
【００４６】
更に、正面閉塞板１１に用いたパネル保持金具１２はネジ係合が可能なように、少なくとも左右端部側だけ形成されているようにしても良い。なお、背面閉塞板１０についても、当然のことながら適宜各種の素材のものを選択して使用することができる。
【図面の簡単な説明】
【００４７】
【図１】（ａ）は、本発明の実施例における物品棚の全体像を示し、手前正面側から見た斜視図であり、（ｂ）は、物品棚の奥行き背面側から見た全体像を示す斜視図である。
【図２】物品棚を構成する各部材の分解組立斜視図である。
【図３】物品棚の側部を構成するフレーム枠材の分解組立斜視図である。
【図４】（ａ）は、背面閉塞板を示す正面図であり、（ｂ）は、図４（ａ）のＡ−Ａ線を示す断面図であり、（ｃ）は、図４（ａ）のＢ−Ｂ線を示す側断面図である。
【図５】（ａ）は、正面閉塞板を示す正面図であり、（ｂ）は、図５（ａ）のＣ−Ｃ線を示す断面図であり、（ｃ）は、図５（ａ）のＤ−Ｄ線を示す側断面図である。
【図６】（ａ）は、棚板を支持する棚受ブラケットを示す平面図であり、（ｂ）は、棚受ブラケットの側面図であり、（ｃ）は、図６（ｂ）のＥ−Ｅ線を示す断面図である。
【図７】（ａ）は、棚受ブラケットが係止される棚受スリット支柱２０の側面図であり、（ｂ）は、図７（ａ）のＦ−Ｆ線を示す断面図であり、（ｃ）は、図７（ａ）のＧ−Ｇ線を示す断面図であって、棚受ブラケットの取り付け過程が示されている。
【図８】物品棚全体の側断面図である。
【図９】（ａ）は、図８のＨ−Ｈ線を示す断面図であって、背面閉塞板、正面閉塞板板、棚受スリット支柱、及び側面パネルをそれぞれ側フレーム支柱に取り付ける前の状態を示し、（ｂ）は、これら部材が側フレーム支柱に取り付けられた状態を示す断面図である。
【図１０】（ａ）は、本発明の変形例１における物品棚の全体像を示した斜視図であり、（ｂ）は、本発明の変形例２における物品棚の全体像を示した斜視図である。
【符号の説明】
【００４８】
１                  物品棚
１ａ                開口部
２                  天板
３                  底板
４                  棚板
４ａ                ナット
５                  上ビーム材（上部材）
５ａ                天板受部
５ｂ                ネジ穴
６                  下ビーム材（下部材）
６ａ                底板受部
６ｂ                ネジ穴
７                  棚受ブラケット
７ａ                鈎部
７ｂ                棚板支持部
７ｃ                ボルト貫通孔
８                  取付ネジ
１０                背面閉塞板
１０ａ              ナット
１０ｂ              ネジ挿通孔
１１                正面閉塞板
１２                パネル保持金具
１２ａ              ナット
１２ｂ              ネジ挿通孔
１２ｃ              連結板
１３                幕板パネル
１４                幕板取付ネジ
１５                フレーム枠材
１６                上フレーム部材
１６ａ              上フレーム組立ネジ貫通孔
１６ｂ              上ビーム取付ネジ貫通孔
１６ｃ              天板受部
１７                下フレーム部材
１７ａ              下フレーム組立ネジ貫通孔
１７ｂ              下ビーム取付ネジ貫通孔
１７ｃ              配線溝
１７ｄ              アジャスタ取付部
１８                アジャスタ
１９                側フレーム組立ネジ
２０                棚受スリット支柱
２０ａ              係合孔
２０ｂ              嵌合片
２１                溝塞ぎ材
２１ａ              係止爪
２２                側フレーム支柱（側部材）
２２ａ              ネジ穴
２３                嵌合溝
２４                側面パネル保持溝
２５                連結片
２５ａ              幕板取付ネジ貫通孔
２５ｂ              係止溝
２６                溝条
３０                側面パネル
３９                固定ボルト
４０                床面
５０、５１          物品棚
５２                閉塞板
Ｓ１、Ｓ２、Ｓ３    収納部
【図１】
2007135954.tif 000003
【図２】
2007135954.tif 000004
【図３】
2007135954.tif 000005
【図４】
2007135954.tif 000006
【図５】
2007135954.tif 000007
【図６】
2007135954.tif 000008
【図７】
2007135954.tif 000009
【図８】
2007135954.tif 000010
【図９】
2007135954.tif 000011
【図１０】
2007135954.tif 000012